(57)【要約】【課題】カップ容器への装着が簡単であり、カップ容器が離脱し難く、陳列姿勢の多様性および安定性にも優れた包装材を提供する。【解決手段】包装材１は、倒立した円錐台形状のカップ容器２を包囲するように装着して使用するものである。包装材１は、互いに対向する位置にあってカップ容器２の上周縁部２ａおよび下周縁部２ｂの一部に外接する一対（２枚）の壁体部３，４と、カップ容器２の上面２ｃを覆った状態で壁体部３，４の上縁３ａ，４ａ同士を連接する天井部５と、カップ容器２の底面２ｄの一部を覆った状態で壁体部３，４の下縁３ｂ，４ｂ同士を連接する底板部６と、カップ容器２の底面２ｄの突縁７の内周に係合させるため底板部６から折り曲げ可能に延設された２枚の突片８，９とを備えている。【選択図】  図６
2005088936.tif 000002
【特許請求の範囲】
【請求項１】
倒立した円錐台形状あるいは多角錐台形状のカップ容器に装着する包装材であって、互いに対向する位置にあって前記カップ容器の上周縁部および下周縁部の一部に外接する複数の壁体部と、前記カップ容器上面の少なくとも一部を覆った状態で前記壁体部の上縁同士を連接する天井部と、前記カップ容器底面の少なくとも一部を覆った状態で前記壁体部の下縁同士を連接する底板部と、前記カップ容器底面の突縁内周に係合させるため前記底板部から折り曲げ可能に延設された複数の突片とを備えたことを特徴とする包装材。
【請求項２】
前記突片として、前記底板部から互いに反対方向へ延設された一対の半月状突片を設けた請求項１記載の包装材。
【請求項３】
前記半月状突片の円弧部分の曲率半径を前記カップ容器底面の突縁内周の曲率半径と略同等とした請求項２記載の包装材。
【請求項４】
当該包装材を平板状態に折り畳むための折り曲げ部を前記壁体部、前記天井部あるいは前記底板部のいずれかに設けた請求項１〜３のいずれかに記載の包装材。
【発明の詳細な説明】
【技術分野】
【０００１】
本発明は、アイスクリーム、シャーベット、ムース、ゼリーなどの菓子類あるいはその他の食品類のほか、各種物品が収容されたカップ容器を包囲するように装着して使用する包装材に関する。
【背景技術】
【０００２】
アイスクリーム、シャーベットなどの氷菓子は、従来、カップ容器に収容されたままの状態で陳列、販売されていた。しかしながら、近年、カップスリーブなどと呼ばれる筒状の包装材をカップ容器に装着した状態で陳列、販売されるようになっている。その理由としては、カップスリーブ（以下、「包装材」という。）をカップ容器の周囲に装着することでカップ容器専用の蓋が不要となりコスト削減できること、包装材の表面に印刷できるので広告などに利用できることなどが挙げられる。
【０００３】
また、カップ容器の内容物を包装材に表示できるため、カップ容器への印刷表示が不要となり、内容物の種類が複数ある場合でも、それと同種類の包装材を作成しておけば、１種類のカップ容器で対応可能であることも大きなメリットである。このため、カップ容器の内容物の変更が発生したときも、迅速に対応することができる。
【０００４】
このような包装材の一つとして、図１４，図１５に示すように、カップ容器９０の天面を覆う表示板９１と、カップ容器９０の底壁９０ａに沿う底板９２とを左右の側壁９３で連結してなる筒状の広告用枠体９４がある（例えば、特許文献１参照。）。この広告用枠体９４を図１５に示すようにカップ容器９０の周囲に巻き付け、底板９２に設けられた係止舌片９５をカップ容器９０の底壁９０ａに係合させることにより、カップ容器９０が広告用枠体９４から抜け落ちるのを防止することができる。
【０００５】
【特許文献１】特開２０００−２５５５４４号公報（第３−５頁）
【発明の開示】
【発明が解決しようとする課題】
【０００６】
特許文献１に記載されている広告用枠体９４の場合、図１４に示すように、一つの係止舌片９５しか設けられていないため、図１５に示すように、矢印９６のような押圧力がカップ容器９０に加わると、比較的容易に広告用枠体９４からカップ容器９０が抜け落ちることがある。
【０００７】
また、広告用枠体９４は、図１６に示すように、四角筒形状であるため、倒立した円錐台形状のカップ容器９０に装着したとき、左右の側壁９３とカップ容器９０との間にそれぞれ隙間９７が生じている。このため、図１７に示すように、左右の側壁９３に矢印９８のような押圧力が加わると、側壁９３は互いに接近する方向に変形するとともに、底板９２が矢印９９方向に撓み、底板９２に設けられた係止舌片９５がカップ容器９０の底壁９０ａから離脱して、広告用枠体９４からカップ容器９０が抜け落ちることがある。
【０００８】
広告用枠体９４とカップ容器９０とで構成された複数種類の商品が同じ場所に収納あるいは陳列されているような場合、前述したように広告用枠体９４からカップ容器９０が簡単に抜け落ちると、広告用枠体９４の表示内容とカップ容器９０の内容物との正しい対応関係が不明となることがある。また、広告用枠体９４からカップ容器９０が簡単に抜け落ちることが分かると、店舗などの陳列場所において、カップ容器９０内への異物投入などの悪戯を誘発する可能性が生じ、場合によっては、毒物混入などの重大事件の誘因となるおそれもある。
【０００９】
さらに、広告用枠体９４を装着したカップ容器９０は、表示板９１に表示された文字が簡単に読み取れるように、図１８に示すような姿勢で陳列台１００の上に載置されることが多い。この場合、重力により、図１５の矢印９６で示した押圧力と同様の力がカップ容器９０に加わるため、係止舌片９５がカップ容器９０の底壁９０ａから徐々に離脱していくことがある。
【００１０】
一方、図１９に示すように、広告用枠体９４を装着したカップ容器９０を、左右の側壁９３のいずれかを陳列台１００の上に密着させて載置することも可能である。しかしながら、カップ容器９０と側壁９３との間に隙間９７があるため、カップ容器９０の重さで、広告用枠体９４が徐々に変形したり、広告用枠体９４からカップ容器９０が徐々に離脱したりすることがある。
【００１１】
本発明が解決しようとする課題は、カップ容器への装着が簡単であり、カップ容器が離脱し難く、陳列姿勢の多様性および安定性にも優れた包装材を提供することにある。
【課題を解決するための手段】
【００１２】
本発明の包装材は、倒立した円錐台形状あるいは多角錐台形状のカップ容器を包囲する包装材であって、互いに対向する位置にあってカップ容器の上周縁部および下周縁部の一部に外接する複数の壁体部と、カップ容器上面の少なくとも一部を覆った状態で壁体部の上縁同士を連接する天井部と、カップ容器底面の少なくとも一部を覆った状態で壁体部の下縁同士を連接する底板部と、カップ容器底面の突縁内周に係合させるため底板部から折り曲げ可能に延設された複数の突片とを備えたことを特徴とする。
【００１３】
このような包装材をカップ容器に装着すれば、互いに対向位置にある複数の壁体部がカップ容器の上周縁部および下周縁部の一部に外接して外側面の一部を覆い、天井部がカップ容器上面の少なくとも一部を覆い、底板部がカップ容器底面の少なくとも一部を覆い、底板部にある複数の突片がカップ容器底面の突縁内周に係合した状態となる。すなわち、当該包装材は倒立した円錐台形状あるいは多角錐台形状のカップ容器の外部形状に沿って包囲した状態で装着され、複数の突片がカップ容器底面の突縁内周の複数箇所に係合した状態となる。
【００１４】
これによって、カップ容器は、その底面の突縁部分が複数の突片と係合して勝手に動かないように包装材内に固定されるため、包装材から離脱し難くなる。したがって、この包装材を装着したカップ容器は様々な陳列姿勢をとることができるようになり、陳列後の安定性も優れている。また、この包装材は、天井部、複数の壁体部および底板部からなる筒体形状であるため、カップ容器を内部へ装入して、底板部の複数の突片を折り曲げてカップ容器底面の突縁内周に係合させるだけで装着が完了する。このため、カップ容器への装着も極めて簡単である。
【００１５】
ここで、カップ容器底面の突縁内周に係合させるため底板部から折り曲げ可能に延設された複数の突片として、底板部から互いに反対方向へ延設された一対の半月状突片を設けることが望ましい。このような一対の半月状突片を設ければ、カップ容器底面の突縁内周の対向部分にそれぞれの半月状突片を係合させることが可能となるため、カップ容器底面はいずれの半月状突片方向にも移動できなくなり、離脱防止機能が向上する。
【００１６】
この場合、前記半月状突片の円弧部分の曲率半径をカップ容器底面の突縁内周の曲率半径と略同等とすることが望ましい。このような構成とすれば、カップ容器底面の突縁内周に対する半月状突片の密着性が高まるため、カップ容器底面をより確実に固定することが可能となり、さらに安定した装着状態が得られる。
【００１７】
一方、当該包装材を平板状態に折り畳むための折り曲げ部を壁体部、天井部、底板部のいずれかに設けることもできる。このような折り曲げ部を設ければ、カップ容器に装着する前の台形筒体形状にある包装材を、当該折り曲げ部で折り曲げることにより、平板状態に折り畳むことが可能となる。したがって、カップ容器に装着する前の包装材を収納したり、運搬したりする際のスペースを大幅に削減することができる。
【００１８】
この場合、前記折り曲げ部を一方の壁体部のみに設けるとともにその位置を、他方の壁体部と天井部との境界部分から天井部を経由して当該折り曲げ部に至るまでの距離と、前記境界部分から他方の壁体部および底板部を経由して当該折り曲げ部に至るまでの距離とが同等となる位置とすることが望ましい。
【００１９】
このような位置に折り曲げ部を設ければ、当該折り曲げ部および装着時の折り曲げ部である前記境界部分の２カ所で折り曲げることにより、天井部と底板部とを互いに部分接触させた平板状態に折り畳むことが可能となる。したがって、装着時の折り曲げ部（前記境界部分）を利用することで折り畳み作業が容易となり、カップ容器に装着したときに残るのは当該折り曲げ部一つだけとなって、目立たないので外観性も良好である。
【００２０】
なお、当該包装材を平板状態に折り畳むための折り曲げ部は、天井部や底板部に設けることも可能であるが、天井部と壁体部との境界部分のほかの一カ所にのみ設けるだけで当該包装材を平板状に折り畳むことができるようになる点において、前述した、壁体部に折り曲げ部を設けることが望ましい。
【発明の効果】
【００２１】
本発明により、以下の効果を奏する。
【００２２】
（１）互いに対向する位置にあってカップ容器の上周縁部および下周縁部の一部に外接する複数の壁体部と、カップ容器上面の少なくとも一部を覆った状態で壁体部の上縁同士を連接する天井部と、カップ容器底面の少なくとも一部を覆った状態で壁体部の下縁同士を連接する底板部と、カップ容器底面の突縁内周に係合させるため底板部から折り曲げ可能に延設された複数の突片とを備えたことにより、カップ容器への装着が簡単となり、カップ容器が離脱し難くなり、陳列姿勢の多様性および安定性にも優れたものとなる。
【００２３】
（２）前記突片として、底板部から互いに反対方向へ延設された一対の半月状突片を設ければ、カップ容器底面の突縁内周の対向部分に半月状突片をそれぞれ係合させることで、カップ容器底面はいずれの半月状突片方向にも移動不能となるため、離脱防止機能が向上する。
【００２４】
（３）前記半月状突片の円弧部分の曲率半径をカップ容器底面の突縁内周の曲率半径と略同等とすれば、カップ容器底面の突縁内周に対する半月状突片の密着性が高まるため、カップ容器底面をより確実に固定することが可能となり、さらに安定した装着状態が得られる。
【００２５】
（４）当該包装材を平板状態に折り畳むための折り曲げ部を壁体部、天井部あるいは底板部のいずれかに設ければ、カップ容器に装着する前の筒体形状にある包装材を、天井部と底板部とを互いに部分接触させた平板状態に折り畳み可能となるため、カップ容器装着前の包装材の収納、運搬のスペースを大幅に削減することができる。
【発明を実施するための最良の形態】
【００２６】
以下、図面に基づいて、本発明の実施の形態を説明する。図１は本発明の実施の形態である包装材をカップ容器に装着した状態で示す平面図、図２は前記包装材およびカップ容器を示す正面図、図３は前記包装材およびカップ容器を示す左側面図、図４は前記包装材およびカップ容器を示す右側面図、図５は前記包装材およびカップ容器を示す底面図である。
【００２７】
図１〜図５に示すように、本実施形態の包装材１は、倒立した円錐台形状のカップ容器２を包囲するように装着して使用するものである。包装材１は、互いに対向する位置にあってカップ容器２の上周縁部２ａおよび下周縁部２ｂの一部に外接する一対（２枚）の壁体部３，４と、カップ容器２の上面２ｃを覆った状態で壁体部３，４の上縁３ａ，４ａ同士を連接する天井部５と、カップ容器２の底面２ｄの一部を覆った状態で壁体部３，４の下縁３ｂ，４ｂ同士を連接する底板部６と、カップ容器２の底面２ｄの突縁７の内周に係合させるため底板部６から折り曲げ可能に延設された２枚の突片８，９とを備えている。
【００２８】
この包装材１をカップ容器２の周囲を包囲するように装着すれば、互いに対向位置にある２枚の壁体部３，４がカップ容器２の上周縁部２ａおよび下周縁部２ｂの一部に外接した状態でカップ容器２の外側面の一部を覆い、天井部５がカップ容器２の上面２ｃの全部を覆い、底板部６がカップ容器２の底面２ｄの中央部分を帯状に覆い、底板部６にある２つの突片８，９がカップ容器２の底面２ｄの突縁７の内周に係合した状態となる。
【００２９】
すなわち、図６〜図７に示すように、包装材１は、倒立した円錐台形状のカップ容器２の周囲をその外部形状に沿って包囲した状態に装着され、底板部６の２枚の突片８，９がカップ容器２の底面２ｄの突縁７の内周の２箇所に係合した状態となる。また、包装材１の壁体部３，４とカップ容器２との隙間２２は、図１６で示した従来の広告用枠体９４における隙間９７に比べると、極めて小さいため、壁体部３，４に押圧力が加わっても、底板部６が撓むことがない。
【００３０】
このように、カップ容器２は、その底面２ｄの突縁７部分が２つの突片８，９と係合して勝手に動かないように包装材１内に固定され、外部から押圧力が加わっても包装材１が大きく撓むこともないため、カップ容器２が包装材１から容易に離脱することがない。したがって、この包装材１を装着したカップ容器２は、図９に示すように、壁体部３（または壁体部４）を陳列台１０に密着させた姿勢で載置したり、図１０に示すように、壁体部３，４を起立させた姿勢で陳列台１０に載置したりすることができる。このため、カップ容器２や包装材１の外観あるいは陳列場所の状況に適切に対応した様々な陳列姿勢をとることが可能であり、陳列後の安定性も優れている。
【００３１】
また、この包装材１は、天井部５、２つの壁体部３，４および底板部６からなる筒体形状であって、カップ容器２の側面形状に相似した台形筒体形状である。このため、カップ容器２を内部へ装入して、図６〜図８に示すように、底板部６にある２枚の突片８，９をそれぞれ折り曲げ部８ａ，９ａでカップ容器２方向へ折り曲げて、カップ容器２の底面２ｄの突縁７の内周に係合させるだけで装着が完了する。このため、カップ容器２への装着も極めて簡単であり、カップ容器２に対する包装材１の密着性は従来の広告用枠体９４よりも大幅に優れている。
【００３２】
包装材１においては、２つの突片８，９は、底板部６の両側から互いに反対方向へ延設され、その形状を半月状となっている。このため、カップ容器２の底面２ｄの突縁７の内周の対向部分にそれぞれ半月状の突片８，９を係合させれば、カップ容器２の底面２ｄはいずれの突片８，９方向にも移動できなくなり、優れた離脱防止機能を発揮する。
【００３３】
また、半月状の突片８，９の円弧部分の曲率半径は、カップ容器底面２ｄの突縁７の内周の曲率半径と略同等としているため、装着後は、カップ容器底面２ｄの突縁７の内周に対して突縁８，９が密着した状態となり、カップ容器底面２ｄをより確実に固定することができ、安定した装着状態が得られる。
【００３４】
一方、この包装材１は、図１１に示す展開図のように、糊代部１ｂ、天井部５、壁体部３，４、底板部６および突片８，９が形成された紙材１ａを素材として製作する。すなわち、紙材１ａを、折り曲げ部１１〜１４においてそれぞれ同じ方向に折り曲げていき、壁体部３の上縁３ａ付近の糊付け部３ｃを糊代部１ｂの外面に貼着することによって容易に製作することができる。
【００３５】
また、包装材１においては、台形筒体形状に製作された当該包装材１を平板状態に折り畳むための折り曲げ部１５を壁体部４に設けている。この場合、壁体部４における折り曲げ部１５の位置は、他方の壁体部３と天井部５との境界部分（本実施形態では折り曲げ部１１または上縁３ａ）から天井部５を経由して当該折り曲げ部１５に至るまでの距離Ｓ１と、前記境界部分（本実施形態では折り曲げ部１１または上縁３ａ）から他方の壁体部３および底板部６を経由して当該折り曲げ部１５に至るまでの距離Ｓ２とが同等となる位置としている。
【００３６】
したがって、図１２（ａ）に示すように、カップ容器２に装着する前の台形筒体形状にある包装材１に対し、矢印１７〜１９に示すような力を加えて、折り曲げ部１５および折り曲げ部１１の２カ所で折り曲げていくと、図１２（ｂ）に示すように包装材１は変形していき、そのまま矢印２０，２１に示すような力を加えていくと、図１２（ｃ）に示すように、天井部５と底板部６とを互いに部分接触させた平板状態に折り畳むことができる。このように、包装材１は平板状態に折り畳むことができるため、カップ容器２に装着する前の包装材１を収納したり、運搬したりする場合のスペースを大幅に削減することができる。
【００３７】
また、本実施形態では、壁体部４における折り曲げ部１５と同様の機能を有する折り曲げ部１６を他の壁体部３にも設けているため、包装材１の外観デザインあるいは製造工程の都合などに応じて、折り曲げ部１５，１６のいずれか適切な方を利用して平板状態に折り畳むことができる。なお、折り曲げ部１５，１６は、他の部分よりも引っ張り応力が集中しやすい形状となっているため、包装材１に引っ張り力を加えれば、折り曲げ部１５，１６が優先的に破断する。このため、折り曲げ部１５，１６は、商品購入者がカップ容器２から包装材１を取り外すときの切り取り線としても機能することとなり、便利である。
【００３８】
次に、図１３を参照して、本発明の他の実施形態である包装材２４について説明する。なお、包装材２４の構成部分のうち、前述した包装材１の構成部分と同じ機能、効果を発揮する部分については、図１３において、図１〜図１２の場合と同じ符号を付して説明を省略する。
【００３９】
図１３に示すように、包装材２４においては、包装材１における折り曲げ部１６の位置に複数のスリットを鎖線状に配列することによって切り取り線２６を設け、切り取り線２６の端部付近の壁体部３の辺縁部分に外側に突出した舌片２３を設けている。包装材１を平板状態に折り畳むとき、切り取り線２６は、前述した包装材１における折り曲げ部１６と同じ機能、効果を発揮する。また、複数のスリットの配列からなる切り取り線２６は、引っ張り力が加わったとき、折り曲げ部１６よりも応力集中しやすいため、舌片２３を手指で摘んで引っ張れば、壁体部３は切り取り線２６に沿って容易に破断し、カップ容器２から包装材２２を簡単に取り外すことができる。
【００４０】
なお、切り取り線２６および舌片２３は、壁体部３の対向位置にある他方の壁体部４（図示せず）の該当部分にも設けることができる。また、切り取り線２６としては、本実施形態に限定するものではないので、ミシン目あるいは板厚の薄い部分など応力集中しやすい形状にして切り取り線とすることもできる。
【産業上の利用可能性】
【００４１】
本発明の包装材は、アイスクリーム、シャーベット、ムース、ゼリーなどの菓子類あるいはその他の食品のほか、各種物品が収容されたカップ容器の包装手段として様々な産業分野において広く利用することができる。
【図面の簡単な説明】
【００４２】
【図１】本発明の実施の形態である包装材をカップ容器に装着した状態で示す平面図である。
【図２】図１に示す包装材およびカップ容器を示す正面図である。
【図３】図１に示す包装材およびカップ容器を示す左側面図である。
【図４】図１に示す包装材およびカップ容器を示す右側面図である。
【図５】図１に示す包装材およびカップ容器を示す底面図である。
【図６】図１に示す包装材およびカップ容器を示す斜視図である。
【図７】図１に示す包装材およびカップ容器を示す一部切欠正面図である。
【図８】図１に示す包装材およびカップ容器を示す一部切欠左側面図である。
【図９】図１に示す包装材およびカップ容器の陳列状態を示す図である。
【図１０】図１に示す包装材およびカップ容器の陳列状態を示す図である。
【図１１】図１に示す包装材の展開図である。
【図１２】図１に示す包装材の折り畳み手順を示す工程図である。
【図１３】本発明の他の実施の形態である包装材を示す正面図である。
【図１４】従来の広告用枠体を示す斜視図である。
【図１５】従来の広告用枠体をカップ容器に装着した状態で示す斜視図である。
【図１６】従来の広告用枠体をカップ容器に装着した状態で示す正面図である。
【図１７】従来の広告用枠体をカップ容器に装着した状態で示す正面図である。
【図１８】従来の広告用枠体をカップ容器に装着して陳列した状態を示す図である。
【図１９】従来の広告用枠体をカップ容器に装着して陳列した状態を示す図である。
【符号の説明】
【００４３】
１，２４  包装材
１ａ  紙材
１ｂ  糊代部
２  カップ容器
２ａ  上周縁部
２ｂ  下周縁部
２ｃ  上面
２ｄ  底面
３，４  壁体部
３ａ，４ａ  上縁
３ｃ  糊付け部
５  天井部
６  底板部
７  突縁
８，９  突片
８ａ，９ａ，１１〜１６  折り曲げ部
１０  陳列台
１７〜２１  矢印
２２  隙間
２３  舌片
２６  切り取り線
Ｓ１，Ｓ２  距離
【図１】
2005088936.tif 000003
【図２】
2005088936.tif 000004
【図３】
2005088936.tif 000005
【図４】
2005088936.tif 000006
【図５】
2005088936.tif 000007
【図６】
2005088936.tif 000008
【図７】
2005088936.tif 000009
【図８】
2005088936.tif 000010
【図９】
2005088936.tif 000011
【図１０】
2005088936.tif 000012
【図１１】
2005088936.tif 000013
【図１２】
2005088936.tif 000014
【図１３】
2005088936.tif 000015
【図１４】
2005088936.tif 000016
【図１５】
2005088936.tif 000017
【図１６】
2005088936.tif 000018
【図１７】
2005088936.tif 000019
【図１８】
2005088936.tif 000020
【図１９】
2005088936.tif 000021